(57)【要約】      （修正有）【課題】便器本体と、便器本体の上部に設けられた便座とを備えた洋式便器の便器本体への着脱が簡単で、容易に洗浄することができ、かつ、取り付けた便器を使用するときに、尿の飛散による漏れをより確実に防止するための尿漏れ防止具を提供する。【解決手段】便器本体の上部に回動自在に設けられた便座とを備えた洋式便器の前記便器本体の上面と前記便座の下面との間に形成される隙間部を遮蔽する尿漏れ防止具１であって、該尿漏れ防止具は、前記隙間部への尿漏れを遮蔽する遮蔽部本体２と、前記遮蔽部本体に連結され、前記便器本体に掛止される支持部３とを備えている。【選択図】図１
0003224915.tif 000002
【実用新案登録請求の範囲】
【請求項１】
便器本体と、便器本体の上部に設けられた便座とを備えた洋式便器の前記便器本体の上面と前記便座の下面との間に形成される隙間部を遮蔽する尿漏れ防止具であって、
該尿漏れ防止具は、前記隙間部への尿漏れを遮蔽する遮蔽部本体と、前記遮蔽部本体に連結され、前記便器本体に掛止される支持部とを備えている
ことを特徴とする尿漏れ防止具。
【請求項２】
前記尿漏れ防止具において、
前記遮蔽部本体は、前記便座前方向に湾曲した曲面を有する板状部材で構成され、該板状部材は、弾力性及び可撓性を備え、前記便器本体及び前記便座の形状に対応して変形可能な性質を有し、
前記遮蔽部本体は、前記便座に当接する上側遮蔽部と、前記便器本体に当接する下側遮蔽部とから構成され、
前記支持部は、連設された載置部と掛止部とを有し、弾力性及び可撓性を備え、前記便器本体及び前記便座の形状に対応して変形可能な性質を有し、
前記載置部は、前記便座前方向に天部を有し、前記便器本体及び前記便座の形状に対応する扇子地紙形状に形成され、該載置部の地部の端縁部が前記遮蔽部本体に連結され、該載置部の天部の端縁部が前記掛止部に連結され、
前記掛止部は、上端縁部が前記載置部の天部の端縁部に連結された帯状部材で構成され、
前記便器本体に取付けられた構成において、前記掛止部が前記便器本体に掛止される
ことを特徴とする請求項１に記載の尿漏れ防止具。
【考案の詳細な説明】
【技術分野】
【０００１】
本考案は、尿漏れ防止具に関し、特に、洋式便器の便器本体と便座との間の隙間から外方に尿が漏れ出ることを防ぐための尿漏れ防止具に関するものである。
【背景技術】
【０００２】
一般的な洋式便器では、便器本体と便座との間に隙間があるため、特に男性が便座に着座して排尿するときに、通常、前方向又は前方斜め下方向に排尿されるので、前述の隙間から尿が便器の外方に飛散して漏れ出し、使用者の着衣、便器本体・便座、トイレ内の床面・壁面等を汚してしまうという問題があった。この問題は、男性が健常者である場合にも発生するが、特に、要介護者、高齢者等、身体の不自由な人になると、大量に漏れてしまう場合があり、深刻である。特に、高齢者の介護施設では、施設利用者がトイレを使用するたびに介護士等が掃除をしなければならず、介護士等の負担になっており、尿漏れ防止の解決が、喫緊の課題となっている。
【０００３】
ところで、従来から、様々な尿漏れ防止具が提案されている。例えば、特許文献１には「お年寄り等が洋式便器に着座して小便する際に、便座と便器本体との間の隙間から尿が漏れない尿飛散防止具及びそれを備えた便器を提供する」（段落「０００３」参照。）ために、「便器本体（３）と便座（２）との間に形成される隙間（４）から小便が飛散しないようにするための尿飛散防止具（１）であって、前記便座（２）の前部（２ａ）に取り付けられ、前記隙間（４）を遮るように垂下するシート状の遮蔽部（１ａ）と、この遮蔽部（１ａ）を前記便座（２）に取り付けるための取付部（１ｂ）とからなることを特徴とする尿飛散防止具」（「請求項１」参照。）が記載されている。
【０００４】
また、特許文献２には、「構造が簡単で洗浄が容易であり、かつ既存の洋式便器に簡単に装着できる排尿飛散防止手段を提供する」（段落「０００６」参照。）ことを目的として、「便器本体と、便器本体の上端面開口の週縁部に倒伏する使用位置及び周縁部から上方へ離間した非使用位置との間で上下方向に回動可能に便器本体に組み付けた便座と、使用位置にある便座に倒伏して便器本体の上端面開口を覆蓋する開閉蓋を備えた洋式便器に装着する排尿飛散防止用モールであって、軟質プラスチックでモールを成型するとともに、モールの内面を便器本体の上端面開口の前側縁部に着脱可能に嵌め込むことのできる逆溝状凹部に形成し、逆溝状凹部を便器本体の上端面開口の前側縁部に装着したとき、逆溝状凹部を区画形成する一対の側面が軟質プラスチックの弾力で前記前側縁部に圧接し、かつ使用位置にある便座の下面がモール本体の外面に当接して便器本体の上端面開口の前側縁部と便座の下面の間の隙間を塞ぐようにしたことを特徴とする排尿飛散防止用モール」（「特許請求の範囲１」参照。）が記載されている。
【先行技術文献】
【特許文献】
【０００５】
【特許文献１】実用新案登録第３１２０７２７号公報
【特許文献２】実用新案登録第３１７７１３２号公報
【考案の概要】
【考案が解決しようとする課題】
【０００６】
特許文献１には、「図３（ａ）に示すように、尿飛散防止具１は、短冊状のシート部材で構成されている。そして、尿飛散防止具１の上端に沿って、粘着テープ１０が設けられている。尿飛散防止具１を使用する際には、粘着テープ１０の剥離紙を剥離して、接着剤層を便座２に貼り付ける」（段落「００１４」、図３（ａ）参照。）と記載されている。ここで、「尿飛散防止具１」は、当然ながら、使用者が排尿するときに飛散した尿が付着して汚れてしまうので、一定期間後は、「便座２」から取り外して洗浄するか、または、新しい「尿飛散防止具１」に取り換える必要がある。しかしながら、特許文献１に記載の「尿飛散防止具１」は、「粘着テープ１０」で「便座２」に貼り付けられているので、剥す作業が必要であり、また、「粘着テープ１０」の接着剤が「便座２」に付着したままになっていると、接着剤の除去作業も必要となり、さらに面倒である。
【０００７】
また、特許文献２には、「本実施例に係る排尿飛散防止用モール１０の構造は以上の通りであって、図３に示すように便座２２を便器本体２１に倒伏すると、図４に示すように、使用位置にある便座２２の下面にモール１０の舌片１０ｂが弾力的に当接するので、便器本体２１の上端面開口２１ａの前側縁部と便座２２の下面の間の隙間が塞がれ」（段落「００１５」、図３、図４等参照。）と記載されているので、使用するときには尿飛散を防止することができるものと推量される。
【０００８】
しかしながら、「便器本体２１の上端面開口２１ａの前側縁部」近傍の「便座２２の下面」と「モール１０の舌片１０ｂ」との境界部には、飛散した尿が付着したままになり、「便座２２」の開閉時に、付着した尿が、「舌片１０ｂ」の上面をつたって「便器２２」の外面へ漏れ出す虞がある。
【０００９】
そこで、本考案においては、便器本体と、便器本体の上部に設けられた便座とを備えた洋式便器の便器本体への着脱が簡単で、容易に取り外して洗浄することができ、かつ、取り付けた便器を使用するときに、尿の飛散による漏れをより確実に防止するための尿漏れ防止具提供することを目的とする。
【課題を解決するための手段】
【００１０】
上記の目的を達成するため、請求項１の考案は、便器本体と、便器本体の上部に設けられた便座とを備えた洋式便器の前記便器本体の上面と前記便座の下面との間に形成される隙間部を遮蔽する尿漏れ防止具であって、該尿漏れ防止具は、前記隙間部への尿漏れを遮蔽する遮蔽部本体と、前記遮蔽部本体に連結され、前記便器本体に掛止される支持部とを備えていることを特徴とする。
【００１１】
また、請求項２の考案は、請求項１に記載の尿漏れ防止具であって、前記尿漏れ防止具において、前記遮蔽部本体は、前記便座前方向に湾曲した曲面を有する板状部材で構成され、該板状部材は、弾力性及び可撓性を備え、前記便器本体及び前記便座の形状に対応して変形可能な性質を有し、前記遮蔽部本体は、前記便座に当接する上側遮蔽部と、前記便器本体に当接する下側遮蔽部とから構成され、前記支持部は、連設された載置部と掛止部とを有し、弾力性及び可撓性を備え、前記便器本体及び前記便座の形状に対応して変形可能な性質を有し、前記載置部は、前記便座前方向に天部を有し、前記便器本体及び前記便座の形状に対応する扇子地紙形状に形成され、該載置部の地部の端縁部が前記遮蔽部本体に連結され、該載置部の天部の端縁部が前記掛止部に連結され、前記掛止部は、上端縁部が前記載置部の天部の端縁部に連結された帯状部材で構成され、前記便器本体に取付けられた構成において、前記掛止部が前記便器本体に掛止されることを特徴とする。
【考案の効果】
【００１２】
本考案の尿漏れ防止具によれば、便器本体と、便器本体の上部に設けられた便座とを備えた洋式便器の便器本体への着脱が簡単で、容易に取り外して洗浄することができ、かつ、取り付けた便器を使用するときに、尿の飛散による漏れをより確実に防止するという顕著な効果を奏することができる。
【００１３】
また、本考案の尿漏れ防止具によれば、洋式便器に装着して使用した際に、使用者の動作によるズレ動きが生じても、便器本体からの脱落を確実に防止することができるという顕著な効果を奏することができる。
【図面の簡単な説明】
【００１４】
【図１】本考案の一実施形態における尿漏れ防止具の斜視図である。
【図２】本考案の一実施形態における尿漏れ防止具の正面図である。
【図３】本考案の一実施形態における尿漏れ防止具の左側面図である。
【図４】本考案の一実施形態における尿漏れ防止具の底面図である。
【図５】本考案の一実施形態における尿漏れ防止具を備えた洋式便器の斜視図である。
【図６】図５のＡ−Ａ線断面図である。
【図７】図５のＡ−Ａ線断面図において、尿漏れ防止具を取り外した状態を示す図である。
【００１５】
以下、好適な実施形態を用いて本考案をさらに具体的に説明する。但し、下記の実施形態は本考案を具現化した例に過ぎず、本考案はこれに限定されるものではない。
【００１６】
（実施形態）
本考案の一実施形態におけるに尿漏れ防止具について、図１〜図７を参照しながら説明する。図１は、本考案の一実施形態における尿漏れ防止具の斜視図であり、図２は、尿漏れ防止具の正面図であり、図３は、尿漏れ防止具の左側面図であり、図４は、尿漏れ防止具の底面図であり、図５は、尿漏れ防止具を備えた洋式便器の斜視図であり、図６は、図５のＡ−Ａ線断面図であり、図７は、図５のＡ−Ａ線断面図において、尿漏れ防止具を取り外した状態を示す図である。
【００１７】
本考案に係る尿漏れ防止具１は、便器本体１１（図５、図６参照。）と、便器本体１１の上部に回動自在に設けられた便座１２とを備えた洋式便器１０の便器本体１１の上面１１ａと便座１２の下面１２ａとの間に形成される隙間部１４（図７参照。）を遮蔽するものである。尿漏れ防止具１は、隙間部１４への尿漏れを遮蔽する遮蔽部本体２と、遮蔽部本体２に連結され、便器本体１１に掛止される支持部３とを備えている。
【００１８】
遮蔽部本体２は、便座１２の前方向に湾曲した曲面を有する板状の部材で構成され、この板状部材は、例えば、シリコンゴム等の弾力性及び可撓性を備えた素材で形成されており、便器本体１１及び便座１２の曲面形状に対応して変形可能な性質を有している。遮蔽部本体２は、便座１２の内壁面１２ｃに当接する上側遮蔽部２ａと、便器本体１１の内壁面１１ｂに当接する下側遮蔽部２ｂとから構成されている。なお、シリコンゴムは、耐熱性、密着性においても優れている。
【００１９】
上側遮蔽部２ａの幅は、便座１２の内壁面１２ｃの幅（つまり、便座１２の厚さ）以下に設定されている。内壁面１２ｃの幅より拡幅されると、上側遮蔽部２ａの上部が、便座１２の上面１２ｄから上方に突出して、使用時に、使用者の身体（大腿部や臀部）が接触して使い勝手が悪くなるからである。下側遮蔽部２ｂの幅は、便器本体１１の内壁面１１ｂの幅（つまり、内壁面１１ｂの厚さ）よりも若干拡幅されて設定されている。これは、下側遮蔽部２ｂ下端部と内壁面１１ｂの下端部との境界部に尿が付着することをできるだけ防止するためである。なお、上側遮蔽部２ａと下側遮蔽部２ｂは、一体形成されてもよいし、別体で形成されたものを接着剤等で接着して構成してよい。
【００２０】
遮蔽部本体２を上記のように構成することで、尿漏れ防止具１を洋式便器１０に取り付けて使用するときに、隙間部１４への尿漏れを完全に防止することができると共に、便座１２側への尿漏れは、上側遮蔽部２ａで防止することができ、便器本体１１側への尿漏れは、下側遮蔽部２ｂで防止することができる。
【００２１】
支持部３は、連設された載置部３ａと掛止部３ｂとを有し、これらは、遮蔽部本体２と同様に、例えば、シリコンゴム等の弾力性及び可撓性を備えた素材で形成されており、便器本体１１及び便座１２の形状に対応して変形可能な性質を有している。載置部３ａは、便座１２の前方向に天部３ｃを有し、便器本体１１の上面１１ａの形状に対応する扇子地紙形状に構成され、載置部３ａの地部３ｄ側の端縁部が遮蔽部本体２の側面に連結され、載置部３ａの天部３ｃ側の端縁部が掛止部３ｂの上端縁部に連結されている。載置部３ａの幅（つまり、天部３ｃと地部３ｄとの距離）は、取り付けられる便器本体１１の上面１１ａの幅に対応するように形成されている。便器本体１１の上面１１ａの幅は、製品によって多少差があるので、載置部３ａの幅は、ある程度余裕をもって設定されている。図では、載置部３ａの幅と便器本体１１の上面１１ａの幅が略等しい場合を想定しているが、好ましくは、便器本体１１の上面１１ａの幅よりも、載置部３ａの幅の方が、若干、拡幅されて構成される。
【００２２】
図示するように、掛止部３ｂは、載置部３ａの天部３ｃ側の端縁部から垂下して連設されている。掛止部３ｂは、上端縁部が載置部３ａの天部３ｃの端縁部に連結された帯状部材で、便器本体１１の前部の曲面形状に対応して構成されている。支持部３は、載置部３ａと掛止部３ｂとで、断面視で鉤形状をなしている（図６参照。）。さらに、支持部３は、載置部３ａと下側遮蔽部２ｂとで、断面視で鉤形状をなしている（図６参照。）。なお、尿漏れ防止具１は、金型を用いて、押出し成形、射出成型、ブロー成型、真空成型、圧空成型、その他、周知の成型技術により一体成型されてもよい。
【００２３】
図５、図６は、一般的な洋式便器１０に、本実施形態の尿漏れ防止具１を取り付けた構成を示す。なお、水タンクは不図示である。一般的な洋式便器１０は、便器本体１１と、便器本体１１の上に、軸支部１５に回動自在に軸支された便座１２及び蓋１３とを備えている。便座１２は略Ｏ字形状の開口部を有し、便座１２の裏面１２ａには、所定の間隔で４つのストッパー１２ｂが取り付けられている。便座１２を便器１１に覆設した状態では、ストッパー１２ｂの厚さの分だけ、便座１２の裏面１２ａと便器本体１１の上面１１ａとの間に隙間部１４が形成されることになり、洋式便器１０の使用時に、この隙間部１４から外方に尿漏れが発生することになる。
本実施形態では、一般的な便器本体１１、便座１２を備えた洋式便器１０を例にとって説明しているが、便座１２を洗浄機能付き暖房便座に代えてもよいし、洋式便器１０をタンク一体型の洋式便器に代えてもよい。
【００２４】
図５、図６に示すように、本考案の尿漏れ防止具１によれば、便器本体１１に取付けられた構成において、載置部３ａが便器本体の１１の上面１１ａ上に載置され、その上に、便座１２及び蓋１３が覆設されることになる。ここで、上述したように、載置部３ａの幅は、便器本体１１の上面１１ａの幅よりも拡幅されている場合、使用時に使用者の動作に応じて略水平方向にズレ動くことになるが、例えば、尿漏れ防止具１が、前方向にズレ動いたときは、少なくとも、上側遮蔽部２ａが便座１２の内壁面１２ａに当接して掛止され、または、下側遮蔽部２ｂが便器本体１１の内壁面１１ｂに当接して掛止されるので、尿漏れ防止具１が、便器本体１１から脱落することはない。また、尿漏れ防止具１が、後方向にズレ動いたときは、掛止部３ｂが便器本体１１の前面１１ｃに当接して掛止されることで、尿漏れ防止具１が、便器本体１１から脱落することはない。さらに、尿漏れ防止具１が、左右又は斜め方向にズレ動いたときは、前述の作用が複合して、尿漏れ防止具１の便器本体１１からの脱落を防止することができる。
【００２５】
つまり、本考案の尿漏れ防止具１は、脱落を防止する部分（掛止部３ｂ）と、尿漏れ及び脱落を防止する部分（上側遮蔽部２ａ及び下側遮蔽部２ｂ）とを備えていることになる。
【００２６】
なお、本実施形態では、洋式便器１０への着脱を最も容易にするために、遮蔽部本体２の長さを、便座１２の裏面１２ａに取り付けてある４つのストッパー１２ｂのうち、前部の２つのストッパー１２ｂの間に設定している。これは、特に、男性の排尿は、前方向の一定の角度の範囲内に飛散するからである。したがって、さらに尿漏れ防止の範囲を広げるためには、尿漏れ防止具１を各ストッパー１２の間に複数配設するか、あるいは、ストッパー１２ｂとの接触を回避するように、例えば、ストッパー１２の対応する位置に開孔部を設け、前記便器本体１１の上面１１ａ全体に同時に装着可能なように一体的に形成された尿漏れ防止具を設けてもよい。
【符号の説明】
【００２７】
１      尿漏れ防止具
２      遮蔽部本体
２ａ    上側遮蔽部
２ｂ    下側遮蔽部
３      支持部
３ａ    載置部
３ｂ    掛止部
３ｃ    天部
３ｄ    地部
１０    洋式便器
１１    便器本体
１１ａ  便器本体の裏面
１１ｂ  便器本体の内壁面
１１ｃ  便器本体の前面
１２    便座
１２ａ  便座の裏面
１２ｂ  ストッパー
１２ｃ  便座の内壁面
１２ｄ  便座の上面
１３    蓋
１４    隙間部
１５    軸支部
【図１】
0003224915.tif 000003
【図２】
0003224915.tif 000004
【図３】
0003224915.tif 000005
【図４】
0003224915.tif 000006
【図５】
0003224915.tif 000007
【図６】
0003224915.tif 000008
【図７】
0003224915.tif 000009